(57)【特許請求の範囲】
【請求項１】
シャーシに設けられたガイドに沿ってスライド移動し、装置本体に対して開閉自在な光ディスク搭載用のトレイと、このトレイに設けられ、該トレイの開閉動作のための駆動源となるモータと、前記トレイに設けられ、前記モータの駆動力が伝達される複数の歯車を有する駆動伝達機構と、この駆動伝達機構の歯車の１つが内接して噛合うラックギアと、このラックギアと前記歯車との噛合わせが所定状態に保たれるように前記駆動伝達機構の移動動作を規制する案内機構とを備え、
前記モータの駆動力によって前記駆動伝達機構の歯車が回転駆動されることにより、前記ラックギアに対して相対的に移動し、この移動によって前記トレイが開閉移動する光ディスクドライブ装置のトレイ開閉機構において、
前記駆動伝達機構は、前記モータの出力軸に連結されている第1の歯車と、この第1の歯車と噛合う第2の歯車と、基部が前記出力軸と同軸に支持され、先端部に前記第2の歯車を軸支する第１のスイングアームと、前記トレイに回転自在に軸支され、前記モータが一方向に回転したとき前記第１のスイングアームの同回転方向へのスイングに伴って前記第2の歯車に噛合う第３の歯車と、この第３の歯車に噛合う第4の歯車と、基部が前記第3の歯車と同軸にスイング自在に軸支され、前記案内機構に規制されて移動可能で、先端部に前記第4の歯車を軸支する第２のスイングアームとを備え、
前記モータが一方向に回転したとき、前記第１のスイングアームが同方向にスイングすることによりモータの駆動力を前記第１の歯車、第２の歯車及び第３の歯車を順次介して前記第４の歯車に伝達し、該モータが前記とは逆方向に回転したとき、前記第１のスイングアームが同方向にスイングすることにより、前記第２の歯車と前記第３の歯車との噛合いを解除し、該モータの駆動力を該第３の歯車に伝達することなく、その他の駆動に供し得る状態となり、
前記案内機構は、前記トレイのスライド方向と略平行な方向に設けた２つの直線区間及びこれら２つの直線区間の互いに対向して位置している端部同士を連結する２つの円弧区間によって環状に形成され、
前記ラックギアは、前記案内機構の周囲に環状に形成され、
前記第２のスイングアームは、前記案内機構の一方の直線区間においてトレイ開方向に移動し、さらに該区間に連続する一方の円弧区間を通過する際に進行方向を反転した後、他方の直線区間においてトレイ閉方向に移動し、該区間に連続する他方の円弧区間を通過する際に進行方向を反転した後、前記一方の直線区間に復帰し、これにより、前記モータの一方向回転により、前記トレイの開閉駆動を行い、他方向回転により、該トレイの開閉動作以外の駆動を可能としたことを特徴とする光ディスクドライブ装置のトレイ開閉機構。
【請求項２】
シャーシに設けられたガイドに沿ってスライド移動し、装置本体に対して開閉自在な光ディスク搭載用のトレイと、このトレイに設けられ、該トレイの開閉動作のための駆動源となるモータと、前記トレイに設けられ、前記モータの駆動力が伝達される複数の歯車を有する駆動伝達機構と、この駆動伝達機構の歯車の１つが内接して噛合うラックギアとを備え、
前記モータの駆動力によって前記駆動伝達機構の歯車が回転駆動されることにより、前記ラックギアに対して相対的に移動し、この移動によって前記トレイが開閉移動する光ディスクドライブ装置のトレイ開閉機構において、
前記ラックギアは、前記トレイのスライド方向と略平行な方向に設けた２つの直線区間及びこれら２つの直線区間の互いに対向して位置している端部同士を連結する２つの円弧区間によって環状に形成され、
前記モータが一方向に回転したとき、前記駆動伝達機構の前記ラックギアに噛合う歯車は、該モータに駆動されて回転しながら、該ラックギアの一方の直線区間においてトレイ開方向に移動し、さらに該区間に連続する一方の円弧区間を通過する際に進行方向を反転した後、他方の直線区間においてトレイ閉方向に移動し、該区間に連続する他方の円弧区間を通過する際に進行方向を反転した後、前記一方の直線区間に復帰し、これにより、前記モータの一方向回転により、前記トレイの開閉駆動を行えるようにしたことを特徴とする光ディスクドライブ装置のトレイ開閉機構。
【請求項３】
前記駆動伝達機構は、前記モータの回転方向に応じてスイングして歯車の噛合いを切り替えるスイングアームを有し、前記モータが前記一方とは逆方向に回転したとき、前記ラックギアに噛合う歯車へのモータ駆動力の伝達を解除し、その他の駆動に供し得る状態となることを特徴とする請求項２に記載の光ディスクドライブ装置のトレイ開閉機構。
【発明の詳細な説明】
【０００１】
【発明の属する技術分野】
本発明は、光ディスクドライブ装置のトレイ開閉機構に関するものである。
【０００２】
【従来の技術】
従来より、光ディスクドライブ装置においては、光ディスクを搭載するトレイを開閉（オープン／クローズ）することにより、光ディスクを交換可能にしている。このトレイの開閉を実現するためのトレイ開閉機構としては、複数枚の光ディスクを搭載可能な回転トレイを有し、この回転トレイの開閉移動の駆動とディスクのクランプ動作のための駆動を単一のモータによって行うようにしたものが知られている（例えば、特開２００１−２８３４９６号公報参照）。この装置のトレイ開閉機構は、モータの駆動を伝達するための太陽ギア及び遊星ギアを有し、回転トレイ下面に設けられている回転部材と、この回転部材の下面に突出形成されているロックピンと係合するＵ字型カム溝と、上記遊星ギアと噛合うように上記カム溝に隣接させて形成したラックギアとを備えている。
【０００３】
上記装置では、モータの駆動力が太陽ギア等を介して遊星ギアに伝達されると、遊星ギアが回転しながらラックギアに沿って移動する。このとき、ロックピンとカム溝との係合により、回転部材は、Ｕ字型カム溝の一方の直線区間に案内された状態で移動し、トレイを開閉する。ここで、トレイのオープン又はクローズは、モータの回転方向を切替えて駆動することによってなされる。例えば、モータの正転によってトレイをオープンさせ、モータの逆転によってトレイをクローズさせる。また、上記装置では、ロックピンがＵ字型カム溝の円弧区間を通過するとき、クランプギア等によって構成されたクランプ機構を用いて、光ディスクのクランプを解除し、ロックピンが上記カム溝の他方の直線区間を通過するとき、トレイ回転機構を用いて回転トレイを回転駆動し、再生する光ディスクを交換するようにしている。
【０００４】
【発明が解決しようとする課題】
しかしながら、上記特開２００１−２８３４９６号公報に示された装置では、トレイ開閉の駆動源となるモータの回転方向を切替えることにより、トレイの移動方向を制御しているので、モータの回転方向を切替えて、その駆動力をトレイの開閉動作以外の動作（例えば、回転トレイの回転動作や光ディスクのクランプ動作等）に用いることができない。そのため、上記装置では、上記クランプ機構やトレイ回転機構等の複雑で高コストな機構を別途設けて、これらを用いて装置の動作モードを切替えることにより、１つのモータの駆動によりトレイ開閉動作以外の動作を行えるようにしている。
【０００５】
本発明は、上述した問題点を解決するためになされたものであり、モータの一方向の回転によりトレイの開閉動作の駆動を行い、他方向の回転によりトレイ開閉以外の動作の駆動を行えるようにして、モータ数の削減を図った光ディスクドライブ装置のトレイ開閉機構を提供することを目的とする。
【０００６】
【課題を解決するための手段】
上記目的を達成するために請求項１の発明は、シャーシに設けられたガイドに沿ってスライド移動し、装置本体に対して開閉自在な光ディスク搭載用のトレイと、このトレイに設けられ、該トレイの開閉動作のための駆動源となるモータと、トレイに設けられ、モータの駆動力が伝達される複数の歯車を有する駆動伝達機構と、この駆動伝達機構の歯車の１つが内接して噛合うラックギアと、このラックギアと歯車との噛合わせが所定状態に保たれるように駆動伝達機構の移動動作を規制する案内機構とを備え、モータの駆動力によって駆動伝達機構の歯車が回転駆動されることにより、ラックギアに対して相対的に移動し、この移動によってトレイが開閉移動する光ディスクドライブ装置のトレイ開閉機構において、駆動伝達機構は、モータの出力軸に連結されている第1の歯車と、この第1の歯車と噛合う第2の歯車と、基部が出力軸と同軸に支持され、先端部に第2の歯車を軸支する第１のスイングアームと、トレイに回転自在に軸支され、モータが一方向に回転したとき第１のスイングアームの同回転方向へのスイングに伴って第２の歯車に噛合う第３の歯車と、この第３の歯車に噛合う第4の歯車と、基部が第3の歯車と同軸にスイング自在に軸支され、案内機構に規制されて移動可能で、先端部に第4の歯車を軸支する第２のスイングアームとを備え、モータが一方向に回転したとき、第１のスイングアームが同方向にスイングすることによりモータの駆動力を第１の歯車、第２の歯車及び第３の歯車を順次介して第４の歯車に伝達し、該モータが前記とは逆方向に回転したとき、第１のスイングアームが同方向にスイングすることにより、第２の歯車と第３の歯車との噛合いを解除し、該モータの駆動力を該第３の歯車に伝達することなく、その他の駆動に供し得る状態となり、案内機構は、トレイのスライド方向と略平行な方向に設けた２つの直線区間及びこれら２つの直線区間の互いに対向して位置している端部同士を連結する２つの円弧区間によって環状に形成され、ラックギアは、案内機構の周囲に環状に形成され、第２のスイングアームは、案内機構の一方の直線区間においてトレイ開方向に移動し、さらに該区間に連続する一方の円弧区間を通過する際に進行方向を反転した後、他方の直線区間においてトレイ閉方向に移動し、該区間に連続する他方の円弧区間を通過する際に進行方向を反転した後、一方の直線区間に復帰し、これにより、モータの一方向回転により、トレイの開閉駆動を行い、他方向回転により、該トレイの開閉動作以外の駆動を可能としたものである。
【０００７】
この構成においては、モータの一方向の回転によってトレイの開閉動作の駆動を行い、他方向の回転によってトレイ開閉動作以外の動作の駆動を行う。上記トレイ開閉動作以外の動作としては、例えば、トレイの回転動作や光ディスクのチャッキング動作等がある。トレイの開閉動作は、モータから一方向の回転駆動を伝達された第４の歯車がラックギアをキックすることに伴って、第２のスイングアームが環状に形成されている案内機構に沿って移動することによりなされる。このとき、第２のスイングアームは、案内機構の一方の直線区間に沿ってトレイ開方向に移動することによりトレイをオープンし、一方の円弧区間を通過する際に進行方向を反転させた後、他方の直線区間に沿ってトレイ閉方向に移動することによりトレイをクローズすることができる。さらに、他方の円弧区間を通過することにより、次回のトレイのオープンに備えて進行方向を反転させることができる。なお、ラックギアは、案内機構の周囲に環状に形成されており、この案内機構によって、ラックギアと第４の歯車との噛合わせは、第２のスイングアームの移動中においても、案内機構の全周に亘って所定の状態に保たれる。
【０００８】
また、第２のスイングアームが案内機構の円弧区間にあるときは、案内機構が上記アームの移動を規制するため、モータの駆動力によってはトレイを開閉移動することができるが、トレイに外力を加えてもトレイを動かすことはできない。これによって、トレイにロックをかけることができる。
【０００９】
また、第１のスイングアームは、モータの出力軸の回転に伴って、その回転方向にスイングする。すなわち、第１のスイングアームは、モータが一方向に回転したとき同方向にスイングし、第２の歯車と第３の歯車とを噛合わせ、第４の歯車に駆動力を伝達可能とする。また、第１のスイングアームは、モータが他方向に回転したとき、同方向にスイングし、第２の歯車と第３の歯車との噛合わせを解除すると共に、モータの駆動力をその他の駆動に供し得る状態となる。
【００１０】
また、請求項２の発明は、シャーシに設けられたガイドに沿ってスライド移動し、装置本体に対して開閉自在な光ディスク搭載用のトレイと、このトレイに設けられ、該トレイの開閉動作のための駆動源となるモータと、トレイに設けられ、モータの駆動力が伝達される複数の歯車を有する駆動伝達機構と、この駆動伝達機構の歯車の１つが内接して噛合うラックギアとを備え、モータの駆動力によって駆動伝達機構の歯車が回転駆動されることにより、ラックギアに対して相対的に移動し、この移動によってトレイが開閉移動する光ディスクドライブ装置のトレイ開閉機構において、ラックギアは、トレイのスライド方向と略平行な方向に設けた２つの直線区間及びこれら２つの直線区間の互いに対向して位置している端部同士を連結する２つの円弧区間によって環状に形成され、モータが一方向に回転したとき、駆動伝達機構のラックギアに噛合う歯車は、該モータに駆動されて回転しながら、該ラックギアの一方の直線区間においてトレイ開方向に移動し、さらに該区間に連続する一方の円弧区間を通過する際に進行方向を反転した後、他方の直線区間においてトレイ閉方向に移動し、該区間に連続する他方の円弧区間を通過する際に進行方向を反転した後、一方の直線区間に復帰し、これにより、モータの一方向回転により、トレイの開閉駆動を行えるようにしたものである。
【００１１】
この構成においては、モータの一方向の回転によってトレイの開閉動作の駆動を行う。トレイの開閉動作は、モータから一方向の回転駆動を伝達された歯車がラックギアをキックすることに伴って、環状に形成されている案内機構に沿って移動することによりなされる。このとき、上記歯車は、ラックギアの一方の直線区間に沿ってトレイ開方向に移動することによりトレイをオープンし、一方の円弧区間を通過する際に進行方向を反転させた後、他方の直線区間に沿ってトレイ閉方向に移動することによりトレイをクローズすることができる。さらに、他方の円弧区間を通過することにより、次回のトレイのオープンに備えて進行方向を反転させることができる。
【００１２】
また、請求項３の発明は、請求項２に記載の光ディスクドライブ装置のトレイ開閉機構において、駆動伝達機構は、モータの回転方向に応じてスイングして歯車の噛合いを切り替えるスイングアームを有し、モータが前記一方とは逆方向に回転したとき、ラックギアに噛合う歯車へのモータ駆動力の伝達を解除し、その他の駆動に供し得る状態となるものである。
【００１３】
この構成においては、スイングアームは、モータの出力軸の回転に伴って、その回転方向にスイングする。すなわち、モータが前記一方向とは逆方向に回転したとき、ラックギアに噛合う歯車へのモータ駆動力の伝達を解除すると共に、モータ駆動力をその他の駆動に供し得る状態となる。なお、バネ等の付勢手段によってラックギアと歯車との噛合いが保持される方向に付勢するように構成しておくことでその噛合わせを安定した状態とすることができる。
【００１４】
【発明の実施の形態】
以下、本発明の一実施形態による光ディスクドライブ装置を図面を参照して説明する。図１乃至図３において、光ディスクドライブ装置１は、光ディスクが搭載されると共に装置本体に対して出入して開閉されるトレイ２と、このトレイの開閉動作等の駆動源となるモータ３と、モータ３の駆動力が伝達される駆動伝達部４（駆動伝達機構）と、駆動伝達部４の１つの歯車が噛合うラックギア６と、駆動伝達部４の移動動作を規制する案内レール７（案内機構）等を備えている。モータ３、駆動伝達部４及びラックギア６は、トレイ２を開閉させるトレイ開閉機構を構成している。
【００１５】
トレイ２は、スライドベース２１と、このスライドベース２１上に回転支持された回転トレイ２２とによって構成され、スライドベース２１がシャーシ１０に設けられたガイド１１に沿ってスライド移動することにより装置本体に対して開閉し、回転トレイ２２に搭載される光ディスクの交換を可能としている。回転トレイ２２は、複数枚（本実施形態では５枚）の光ディスクを搭載するための凹部２３と、光ディスクのクランプ動作時に回転トレイ２２と再生装置１２との干渉を回避するための切り欠き部２４を有している。回転トレイ２２の回転により、複数枚の光ディスクの中から再生装置１２が再生する光ディスクを選択することができる。
【００１６】
モータ３は、スライドベース２１に支持アーム２５を介して取付けられており、光ディスクドライブ装置１の制御を司る制御部から指令を受け、トレイ開閉動作のための駆動力を駆動伝達部４に与える。
【００１７】
駆動伝達部４は、スライドベース２１に設けられ、次のような複数の歯車４１〜４５とスイングアーム５１，５２とから構成される。第１の歯車４１は、モータ３の出力軸３１に連結されている。第２の歯車４２は、第１の歯車４１と噛合う。第１のスイングアーム５１は、基部が出力軸３１と同軸に支持され、先端部に設けたシャフト５３を介して第２の歯車４２を軸支する。第３の歯車４３は、シャフト５４によってスライドベース２１に回転自在に軸支され、モータ３が図３の矢印Ｘ方向（以下、Ｘ方向と記す）に回転したとき、第１のスイングアーム５１のＸ方向へのスイングに伴って第２の歯車４２に噛合う。第４の歯車４４は、第３の歯車４３に噛合い、かつ、ラックギア６に内接して噛合っている。第２のスイングアーム５２は、基部がシャフト５４によってスイング自在に軸支され、案内レール７に規制されて移動可能で、先端部に設けたシャフト５５を介して第４の歯車４４を軸支する。その他の歯車４５は、モータ３が前記Ｘ方向とは逆の矢印Ｙ方向（以下、Ｙ方向と記す）に回転したとき、第１のスイングアーム５１のＹ方向へのスイングに伴って第２の歯車４２と噛合うものである。この歯車４５は、トレイ２の開閉動作以外の動作（例えば、回転トレイの回転動作又は光ディスクのクランプ動作）について、駆動力を伝達し得るように構成している。なお、第２のスイングアーム５２には、ラックギア６と第４の歯車４４との噛合わせ状態を安定させるために、トレイ２の開閉方向Ｚ１，Ｚ２に対して姿勢角Ｂが付与されており、それに伴い、ラックギア６の直線区間６１，６３及び案内レール７の直線区間７１，７３は、トレイ２の開閉方向Ｚ１，Ｚ２にずらして配置されている。
【００１８】
ラックギア６は、シャーシ１０の上面に設けられた開口部１３の縁側面に刻まれている。開口部１３により、トレイ２の開閉動作時において駆動伝達部４とシャーシ１０の上面とが干渉しないものとされている。ラックギア６は、開閉方向Ｚ１，Ｚ２と略平行な方向に設けた２つの直線区間６１，６３及びこれら２つの直線区間６１，６３の互いに対向して位置している端部同士を連結する２つの円弧区間６２，６４によって環状に形成されている。
【００１９】
案内レール７は、開口部１３に位置させて、ブリッヂ（図示せず）によってシャーシ１０の上面に支持されている。案内レール７は、開口部１３（ラックギア６）の形状と略相似形であり、開閉方向Ｚ１，Ｚ２と略平行な直線区間７１，７３及びこれらの端部同士を互いに連結する円弧区間７２，７４とによって、環状に形成されている。この案内レール７は、シャフト５５と係合することにより第２のスイングアーム５２の移動動作を規制し、ラックギア６と第４の歯車４４との噛合わせを所定状態に維持する。
【００２０】
上記駆動伝達部４において、モータ３がＸ方向に回転したときは、第１のスイングアーム５１がＸ方向にスイングすることに伴って、モータ３の駆動力が第１の歯車４１、第２の歯車４２及び第３の歯車４３を順次介して第４の歯車４４に伝達され、第４の歯車４４が回転駆動され、ラックギア６をキックしトレイ２を開閉する。また、モータ３がＹ方向に回転したときは、第１のスイングアーム５１がＹ方向にスイングすることに伴って、第２の歯車４２と第３の歯車４３との噛合いを解除し、モータ３の駆動力を第３の歯車４３に伝達することなく、歯車４５に伝達し、その他の駆動に供し得る状態となる。
【００２１】
上記のように構成された本装置におけるトレイ開閉機構の動作を以下に説明する。制御部からトレイオープンの指令を受けたモータ３がＸ方向に回転を開始すると、上述したように第１のスイングアーム５１がＸ方向にスイングし、モータ３の駆動力が第１の歯車４１、第２の歯車４２及び第３の歯車４３を順次介して第４の歯車４４に伝達され、第４の歯車４４がＸ’方向に回転しながら、噛合っているラックギア６をキックする。このキックによって、第２のスイングアーム５２は、案内レール７の直線区間７１においてトレイ開方向Ｚ１に移動し、トレイ２をオープンさせる（状態▲１▼）。さらに、第２のスイングアーム５２は、直線区間７１に連続する円弧区間７２を通過する際に、シャフト５５と係合している案内レール７に案内され、進行方向を反転させる（状態▲２▼）。このとき、第２のスイングアーム５２は、円弧区間７２に隣接して設けたスイッチ（図示せず）を押下することにより、モータ３の回転は停止し、トレイ２は全開位置で停止する。この後、制御部からトレイクローズの指令を受けたモータ３がＸ方向に回転を開始すると、第４の歯車４４は再びＸ’方向への回転を開始し、残りの円弧区間７２を通過した後、直線区間７３においてトレイ閉方向Ｚ２に移動し、トレイ２をクローズさせる。そして、上記直線区間７３に連続する円弧区間７４を通過する際に、シャフト５５と係合している案内レール７に案内され、次回のトレイオープンの動作に備えて進行方向を反転させる（状態▲３▼）。このとき、第２のスイングアーム５２は、円弧区間７４に隣接して設けたスイッチ（図示せず）を押下することにより、モータ３の回転は停止し、トレイ２は全閉位置で停止する。なお、ラックギア６は案内レール７の周囲に環状に形成されているので、この案内レール７によって、ラックギア６と第４の歯車４４との噛合わせは、第２のスイングアーム５２の移動中においても、案内レール７の全周に亘って所定の状態に保たれる。なお、上記状態▲２▼，▲３▼では、第１の歯車４１、第２の歯車４２、歯車４５及び第１のスイングアーム５１等は図示を省略している。
【００２２】
このように、本装置１では、モータ３からＸ方向の回転駆動を伝達された第４の歯車４４がラックギア６をキックすることに伴って第２のスイングアーム５２を案内レール７に沿って移動させる。このとき、第２のスイングアーム５２に設けられたシャフト５５が案内レール７によって形成された環状の経路Ｐを循環することにより、第２のスイングアーム５２は、トレイ２の開閉方向Ｚ１，Ｚ２に移動しトレイ２を開閉する。従って、モータ３のＸ方向のみの回転によってトレイ２の開閉動作の駆動を行うことができ、Ｙ方向の回転をトレイ開閉動作以外の動作（例えば、回転トレイ２２の回転や光ディスクのチャッキング動作等）に振り分けることができる。これにより、装置に内蔵するモータ数を削減して装置の製造コストを低減したり、簡素な構成により同等コストで多彩な動作の駆動を行うことが可能となる。
【００２３】
また、第２のスイングアーム５２が案内レール７の円弧区間７２，７４にあるときは、案内レール７が第２のスイングアーム５２の移動を規制するため、モータ３の駆動力によってはトレイ２を開閉移動することができるが、外力を加えてもトレイ２を動かすことはできない。これによって、トレイ２にロックをかけることができるため、不用意にトレイ２が開閉することがなくなり、光ディスクドライブ装置１の使い勝手の向上を図ることができる。
【００２４】
また、第１のスイングアーム５１は、モータ３がＸ方向に回転したとき同方向にスイングし、第２の歯車４２と第３の歯車４３とを噛合わせ、第４の歯車４４に駆動力を伝達可能とし、モータ３がＹ方向に回転したとき、同方向にスイングし、第２の歯車４２と第３の歯車４３との噛合わせを解除すると共に、モータ３の駆動力をその他の駆動に供し得る状態とする。従って、簡素な構成でありながら、モータ３の回転方向を切替えることにより、トレイ２の開閉動作とその他の動作を切替えることができるようになる。
【００２５】
なお、本発明は上記実施形態の構成に限られることなく種々の変形が可能であり、例えば、移動中の第２のスイングアーム５２を案内する案内レール７は、第２のスイングアーム５２の一部と係合するカム溝で構成してもよい。さらにまた、この案内レール７を省略してもよい。この案内レール７を省略した場合においては、上述したトレイ全開／全閉時にトレイ２をロックする機能は働かないが、バネ等の付勢手段を別途設け、この付勢手段によって、第４の歯車４４とラックギア６との噛合わせを維持する方向に第２のスイングアーム５２の先端部を付勢するように構成すれば、第４の歯車４４とラックギア６との噛合わせは、所定の状態に保つことができる。
【００２６】
また、駆動伝達部４は、上述した形態に限られることはなく、これと同等の機能を有する構成に置き換えてもよい。さらにまた、モータ３のＹ方向の回転により駆動されるものとしては、回転トレイ２２の回転や光ディスクのクランプ動作に限られることなく、任意の駆動部材を対象とすることができる。
【００２７】
【発明の効果】
以上のように請求項１の発明によれば、モータの一方向の回転によってトレイの開閉動作の駆動を行い、他方向の回転をトレイ開閉動作以外の別の動作に振り分けることができる。従って、装置に内蔵するモータ数を削減して装置の製造コストを低減したり、簡素な構成により同等コストで多彩な動作を行うことができるようになる。また、案内機構が第２のスイングアームの動きを規制することにより、トレイオープン時及びトレイクローズ時にはトレイにロックをかけることができるため、不用意にトレイが開閉することがなくなり、光ディスクドライブ装置の使い勝手の向上を図ることができる。
【００２８】
請求項２の発明によれば、モータの一方向の回転によってトレイの開閉動作の駆動を行うことができる。従って、上記モータの他方向の回転をトレイの開閉動作以外の別の動作に振り分ければ、装置に内蔵するモータ数を削減して装置の製造コストを低減したり、簡素な構成により同等コストで多彩な動作を行うことができるようになる。
【００２９】
請求項３の発明によれば、モータが他方向に回転したとき、スイングアームによって、駆動力をトレイ開閉動作以外の別の動作に振り分けることができる。従って、装置に内蔵するモータ数を削減して装置の製造コストを低減したり、簡素な構成により同等コストで多彩な動作を行うことができるようになる。
【図面の簡単な説明】
【図１】  本発明の一実施形態による光ディスクドライブ装置の外装ケースを外した状態における斜視図。
【図２】  同装置のＡ−Ａ断面図。
【図３】  同装置の駆動伝達部及びラックギアを示した平面図。
【符号の説明】
１    光ディスクドライブ装置
２    トレイ
３    モータ
４    駆動伝達部（駆動伝達機構）
４１〜４４    歯車（第１〜第４の歯車）
５１，５２    スイングアーム（第１、第２のスイングアーム）
６    ラックギア
６１，６３    直線区間
６２，６４    円弧区間
７    案内レール（案内機構）
７１，７３    直線区間
７２，７４    円弧区間
１０    シャーシ
１１    ガイド
【図１】
0003656840.tif 000002
【図２】
0003656840.tif 000003
【図３】
0003656840.tif 000004